(57)【要約】【課題】設置面に取り付けられた後の美観の低下を抑制できる照明器具を提供する。【解決手段】照明器具１は、造営材の天井９０に取り付けられる照明器具１であって、天井９０側の第１主面１４及び第１主面１４と背向する第２主面１５を有する器具本体１０と、第２主面１５に配置された発光モジュール３０と、発光モジュール３０を囲む枠状の側方カバー５０と、第１主面１４に配置されたクッション部材８０と、を備える。そして、側方カバー５０は、さらに、クッション部材８０の少なくとも一部を囲んでいる。【選択図】図４
2018125102.tif 000002
【特許請求の範囲】
【請求項１】
造営材の設置面に取り付けられる照明器具であって、
前記設置面側の第１主面及び前記第１主面と背向する第２主面を有する器具本体と、
前記第２主面に配置された光源と、
前記光源を囲む枠状の側方カバーと、
前記第１主面に配置されたクッション部材と、を備え、
前記側方カバーは、さらに、前記クッション部材の少なくとも一部を囲んでいる
照明器具。
【請求項２】
前記側方カバーは、前記設置面に対して傾斜している傾斜部と、前記傾斜部の前記設置面側の端部から前記設置面側に突出した突起部と、を有し、
前記突起部は、前記クッション部材の少なくとも一部を囲んでいる
請求項１に記載の照明器具。
【請求項３】
前記突起部は、前記器具本体の前記第１主面より１０ｍｍ以上前記設置面側に突出している
請求項２に記載の照明器具。
【請求項４】
前記突起部の内面は、前記設置面に近づくにつれ外方に向けて傾斜している
請求項２又は３に記載の照明器具。
【請求項５】
前記器具本体は、前記第２主面に前記側方カバーを脱着自在に取り付けるための側方カバー取付部を有し、
前記側方カバーは、内面に凸部を有し、
前記側方カバー取付部は、前記凸部と嵌合する嵌合部、及び、前記嵌合部に対して前記設置面側と逆方向の位置で前記側方カバーを支持する支持部を有し、
前記突起部は、前記凸部が前記支持部で支持されている状態で、前記器具本体を囲んでいる
請求項２〜４のいずれか１項に記載の照明器具。
【請求項６】
前記器具本体は、外縁部に前記設置面側と逆方向に立設する立設部を有し、
前記突起部は、前記凸部が前記支持部で支持されている状態で、前記立設部の少なくとも一部を囲んでいる
請求項５に記載の照明器具。
【発明の詳細な説明】
【技術分野】
【０００１】
本発明は、空間を照明するための照明器具に関する。
【背景技術】
【０００２】
空間を照明するための照明器具の一つとして、シーリングライトが知られている（例えば、特許文献１参照）。シーリングライトは、天井に取り付けられる器具本体と、器具本体に支持された基板と、基板に実装された複数のＬＥＤ（Ｌｉｇｈｔ  Ｅｍｉｔｔｉｎｇ  Ｄｉｏｄｅ）と、複数のＬＥＤを覆うように器具本体に取り付けられた外郭カバー（拡散カバー）とを有している。
【先行技術文献】
【特許文献】
【０００３】
【特許文献１】特開２０１３−０４８１６７号公報
【発明の概要】
【発明が解決しようとする課題】
【０００４】
ところで、照明器具を天井に取り付けた際に、照明器具のぐらつき又は回転を抑制するために、器具本体の天井側にクッション部材が配置されることがある。照明器具を天井に設置した際に天井と器具本体との間でクッション部材が圧縮されることで、照明器具のぐらつきなどが抑制される。
【０００５】
しかしながら、このような照明器具では照明器具を天井などの設置面に取り付けた後、設置面と器具本体との隙間からクッション部材が見えてしまい、照明器具の美観を損ねることがある。
【０００６】
そこで、本発明は、このような課題に鑑みてなされたものであり、設置面に取り付けられた後の照明器具の美観の低下を抑制することができる照明器具を提供することを目的とする。
【課題を解決するための手段】
【０００７】
上記目的を達成するために、本発明の一態様に係る照明器具は、造営材の設置面に取り付けられる照明器具であって、前記設置面側の第１主面及び前記第１主面と背向する第２主面を有する器具本体と、前記第２主面に配置された光源と、前記光源を囲む枠状の側方カバーと、前記第１主面に配置されたクッション部材と、を備え、前記側方カバーは、さらに、前記クッション部材の少なくとも一部を囲んでいる。
【発明の効果】
【０００８】
本発明の一態様に係る照明器具によれば、設置面に取り付けられた後の照明器具の美観の低下を抑制することができる。
【図面の簡単な説明】
【０００９】
【図１】実施の形態に係る照明器具の天井側の外観を示す斜視図である。
【図２】実施の形態に係る照明器具の床面側の外観を示す斜視図である。
【図３】実施の形態に係る照明器具を分解して示す分解斜視図である。
【図４】図１のＩＶａ−ＩＶａ線における実施の形態に係る照明器具の断面図である。
【図５】実施の形態に係る側方カバーを器具本体に取り付ける取付方法を説明するための図である。
【図６Ａ】実施の形態に係る側方カバー取付部の外観を示す斜視図である。
【図６Ｂ】実施の形態に係る側方カバー取付部と側方カバーの凸部とが嵌合する様子を示す図である。
【図７】実施の形態に係る照明器具のカバー部のガタツキの抑制を説明するための図である。
【発明を実施するための形態】
【００１０】
以下では、本発明の実施の形態について、図面を用いて詳細に説明する。以下に説明する実施の形態は、いずれも本発明の一具体例を示すものである。したがって、以下の実施の形態で示される数値、形状、材料、構成要素、構成要素の配置、及び、接続形態などは、一例であり、本発明を限定する主旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略又は簡略化される場合がある。
【００１２】
また、「略＊＊」との記載は実質的に＊＊と認められるものを含む意図であり、例えば「略円弧状」を例に挙げて説明すると、完全な円弧状はもとより、実質的に円弧状と認められるものを含む意図である。
【００１３】
また、以下の実施の形態で説明に用いられる図面においては座標軸が示される場合がある。Ｚ軸のマイナス側が床面（図示しない）側、Ｚ軸のプラス側が天井（図示しない）側を表している。また、Ｘ軸方向及びＹ軸方向は、Ｚ軸方向に垂直な平面（水平面）上において、互いに直交する方向である。Ｘ−Ｙ平面は、照明器具が備える器具本体の主面（第１主面又は第２主面）に平行な平面である。例えば、以下の実施の形態において、「平面視」とは、Ｚ軸方向から見ることを意味する。また、例えば、以下の実施の形態において、「断面視」とは、切断線で切断された照明器具１を切断された面に対して垂直方向から見ることを意味している。例えば、Ｘ軸とＺ軸とで規定された平面（切断線で切断された面の一例）で切断された場合、断面視とは当該断面をＹ軸方向から見ることを意味している。なお、説明の都合上、図２及び図３では、照明器具を通常の使用時の姿勢とは上下逆の姿勢で図示している。
【００１４】
（実施の形態）
以下、本実施の形態に係る照明器具について説明する。
【００１５】
［１．照明器具の構成］
［１−１．照明器具の全体構成］
まず、本実施の形態に係る照明器具１の全体構成について、図１〜図３を参照しながら説明する。図１は、本実施の形態に係る照明器具１の天井側の外観を示す斜視図である。図２は、本実施の形態に係る照明器具１の床面側の外観を示す斜視図である。図３は、本実施の形態に係る照明器具１を分解して示す分解斜視図である。
【００１６】
照明器具１は、例えば住宅等の建物の天井に設置され、建物の内部の空間を照明するためのシーリングライトである。図１〜図３に示すように、照明器具１は、器具本体１０、電源ユニット２０、発光モジュール３０、レンズカバー４０、側方カバー５０、外郭カバー６０、枠体７０、及び、クッション部材８０を備えている。なお、天井は、照明器具１が取り付けられる造営材の設置面の一例である。
【００１７】
以下、照明器具１の各構成要素について、図１〜図７を参照しながら詳細に説明する。
【００１８】
［１−２．器具本体］
器具本体１０について、図１及び図３を参照しながら説明する。
【００１９】
器具本体１０は、電源ユニット２０、発光モジュール３０、側方カバー５０及びクッション部材８０を支持するための筐体である。器具本体１０は、中央部に円形状の開口部１１を有するリング状に形成されている。
【００２０】
開口部１１の周縁部には、器具本体１０を器具取付部材（図示しない）に装着するためのホルダ１２が固定されている。ホルダ１２の内部には、器具取付部材が脱着自在に嵌合される。なお、器具取付部材とは、天井に設置された引っ掛けシーリングボディ（図示しない）に器具本体１０を脱着自在に取り付けるためのアダプタである。また、引っ掛けシーリングボディは、商用電源（図示しない）と電線（図示しない）を介して電気的に接続されている。照明器具１が天井に設置されることにより、商用電源からの交流電力が電線及び引っ掛けシーリングボディを介して照明器具１に供給される。
【００２１】
なお、器具本体１０は、発光モジュール３０からの熱を放熱するためのヒートシンクとしても機能する。
【００２２】
器具本体１０は、電源ユニット２０及び発光モジュール３０を支持する第１本体部１０ａと、第１本体部１０ａより天井側に位置しており、側方カバー５０及びクッション部材８０を支持する第２本体部１０ｂと、第１本体部１０ａと第２本体部１０ｂとを接続する接続部１０ｃとを有する。なお、器具本体１０（第１本体部１０ａ、第２本体部１０ｂ及び接続部１０ｃ）は、例えば、例えばアルミニウム板又は鋼板等の板金をプレス加工することによって形成される。つまり、第１本体部１０ａ、第２本体部１０ｂ及び接続部１０ｃは、一体形成される。また、器具本体１０は、器具本体１０の天井側の面である第１主面（図４の（ａ）及び図４の（ｂ）の第１主面１４を参照）と、第１主面と背向する面である第２主面（図４の（ａ）及び図４の（ｂ）の第２主面１５を参照）とを有する。第２主面は、器具本体１０の床面側の面である。なお、器具本体１０の平面視形状は、特に限定されず、略平板状に形成されていてもよい。
【００２３】
器具本体１０の第２本体部１０ｂの第１主面には、図１に示すように、例えば、ウレタン等で形成されたクッション部材８０が複数取り付けられている。複数のクッション部材８０は、器具本体１０の周方向に沿って配置されている。照明器具１が天井に設置された際に、複数のクッション部材８０が器具本体１０と天井との間に挟み込まれることにより、器具本体１０のぐらつき又は回転が抑制される。
【００２４】
器具本体１０の第２本体部１０ｂの第２主面には、側方カバー５０を器具本体１０に脱着自在に取り付けるための側方カバー取付部１３が複数取り付けられている。複数の側方カバー取付部１３は、器具本体１０の外周に沿って配置されている。なお、側方カバー取付部１３の詳細については、後述する。
【００２５】
［１−３．電源ユニット］
次に、電源ユニット２０について、図１及び図３を参照しながら説明する。電源ユニット２０は、発光モジュール３０を発光させるための電力を生成するためのユニットである。電源ユニット２０は、例えば、器具本体１０の第１本体部１０ａの第１主面に配置される。電源ユニット２０は、基板２１と、基板２１に実装された複数の回路部品２２と、基板２１及び複数の回路部品２２を覆うケース２３を有している。
【００２６】
基板２１は、複数の回路部品２２を実装するためのプリント配線基板である。基板２１は、複数の回路部品２２が床面側を向くようにして、ケース２３の床面側の面に取り付けられている。
【００２７】
複数の回路部品２２の各々は、発光モジュール３０を発光させるための電力を生成するための電源回路を構成する電源用回路部品である。複数の回路部品２２は、上述した商用電源から電線を介して供給されてきた交流電力を直流電力に変換する。複数の回路部品２２で生成された直流電力が発光モジュール３０に供給されることにより、発光モジュール３０が発光する。
【００２８】
なお、複数の回路部品２２には、上述した電源用回路部品だけでなく、その他の回路を構成する回路部品が含まれていてもよい。例えば、複数の回路部品２２は、調光回路又は昇圧回路等を構成する駆動用回路部品を含んでいてもよく、あるいは、通信回路を構成する通信用回路部品（通信モジュール）等を含んでいてもよい。
【００２９】
ケース２３は、基板２１及び複数の回路部品２２を覆うためのカバーである。本実施の形態では、基板２１はケース２３の床面側の面に固定されている。ケース２３は、例えば、金属又は樹脂などにより形成されている。ケース２３が金属で形成されている場合、基板２１及び複数の回路部品２２で発生した熱を効率よく放熱することができる。
【００３０】
［１−４．発光モジュール］
次に、発光モジュール３０について、図３を参照しながら説明する。
【００３１】
発光モジュール３０は、例えば白色光を発するための光源である。白色光とは、例えば、色温度（相関色温度）２６００Ｋ〜７１００Ｋの光である。発光モジュール３０は、複数の基板３１と、複数の基板３１の各々に実装された複数の発光素子３２とを有している。発光モジュール３０は、部屋全体を明るくする、室内照明用途の光源である。
【００３２】
基板３１は、複数の発光素子３２を実装するためのプリント配線基板であり、略円弧状に形成されている。複数の基板３１の各々は、器具本体１０の開口部１１を囲むようにして、器具本体１０の第１本体部１０ａの第２主面にネジ（図示しない）により取り付けられている。なお、本実施の形態では発光モジュール３０は４つの基板３１から構成されている例について説明しているが、基板３１の数はこれに限定されない。
【００３３】
基板３１としては、例えば、樹脂をベースとする樹脂基板、金属をベースとするメタルベース基板、セラミックからなるセラミック基板等を用いることができる。また、基板３１は、リジッド基板に限定されず、フレキシブル基板であってもよい。
【００３４】
複数の発光素子３２は、基板３１の径方向に配置されている。本実施の形態では、複数の発光素子３２は、基板３１の周方向に６列配置されている。各列において、複数の発光素子３２は、基板３１の周方向に間隔を置いて配置されている。これにより、発光モジュール３０全体としては、複数の発光素子３２はリング状に配置されるようになる。
【００３５】
発光素子３２の各々は、パッケージ化された表面実装（ＳＭＤ：Ｓｕｒｆａｃｅ  Ｍｏｕｎｔ  Ｄｅｖｉｃｅ）型の白色ＬＥＤ素子である。すなわち、発光素子３２の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００３６】
このように、発光素子３２の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして発光素子３２の各々から白色光が出射される。
【００３７】
なお、照明器具１の光源は、特に限定されるものではない。例えば、発光モジュール３０の代わりに、半導体レーザ等の半導体発光素子、有機ＥＬ素子（ＯＬＥＤ）、無機ＥＬ素子、又は、その他の固体発光素子を用いて構成された発光モジュールが用いられてもよい。また、発光モジュール３０の代わりに、蛍光管が用いられてもよい。また、発光モジュール３０は白色光を発光する例について説明したが、これに限定されない。
【００３８】
［１−５．レンズカバー］
次に、レンズカバー４０について、図３を参照しながら説明する。レンズカバー４０は、発光素子３２の各々からの光の配光角を拡大するための光学部材である。
【００３９】
レンズカバー４０は、リング状に形成されている。また、レンズカバー４０は、透光性を有する材料（例えば、アクリル（ＰＭＭＡ）、ポリカーボネート（ＰＣ）などの透明な樹脂等）で形成されている。レンズカバー４０は、複数の基板３１の各々を覆うようにして、器具本体１０の第１本体部１０ａの第２主面側にネジ（図示しない）により取り付けられる。具体的には、レンズカバー４０は、発光モジュール３０の床面側の面に取り付けられる。
【００４０】
レンズカバー４０には、複数の発光素子３２の各々に対応する複数のレンズ４１が形成されている。複数の発光素子３２の各々からの光は、対応するレンズ４１を透過する。このとき、複数のレンズ４１の各々は、透過する光の配光角を拡大させる。
【００４１】
［１−６．側方カバー］
次に、側方カバー５０について、図３及び図４を参照しながら説明する。図４は、図１のＩＶａ−ＩＶａ線における本実施の形態に係る照明器具１の断面図である。より詳しくは、図４の（ａ）は、図１のＩＶａ−ＩＶａ線における本実施の形態に係る照明器具１の断面図であり、図４の（ｂ）は、図４の（ａ）の破線領域の拡大断面図である。なお、図４では、照明器具１が天井９０に取り付けられた状態での断面図を示している。また、図４の（ａ）では、引っ掛けシーリングボディ１００及び器具取付部材１０１を模式的に破線で示している。なお、図４では、電源ユニット２０を省略して図示している。ここで、断面図とは、切断線で切断された照明器具１の断面（例えば、Ｘ軸とＺ軸とで規定される平面で切断された照明器具１の断面）のみを示しており、以降においても同様である。
【００４２】
側方カバー５０は、発光モジュール３０を囲む枠状の部材であり、発光モジュール３０から側方カバー５０に入射した光を有効に活用するための光学部材である。言い換えると、側方カバー５０は、発光モジュール３０を側方から覆うように配置されている。また、側方カバー５０は、透光性を有する材料で形成されている。例えば、側方カバー５０は、透光性を有するアクリル樹脂で形成されている。例えば、側方カバー５０は、光拡散材が内部に分散され乳白色を有していてもよい。
【００４３】
図３及び図４の（ａ）に示すように、側方カバー５０は、一端部５１、他端部５２、傾斜部５３、及び突起部５４を有する。
【００４４】
一端部５１は、側方カバー５０の天井９０側の端部である。具体的には、一端部５１は傾斜部５３の天井９０側の端部から、発光モジュール３０側に延設されている。一端部５１の発光モジュール３０側の面（内面）から、発光モジュール３０側に向けて突出する凸部５１ａが形成されている。例えば、凸部５１ａは、平面視において外形形状が略扇形であり、頂部が発光モジュール３０側に向けて突出するように形成されている。凸部５１ａが器具本体１０に取り付けられている側方カバー取付部１３と嵌合することで、側方カバー５０は器具本体１０に取り付けられる。つまり、一端部５１は、側方カバー５０を器具本体１０に取り付けるための取付部である。
【００４５】
他端部５２は、側方カバー５０の天井９０とは逆側の端部である。具体的には、他端部５２は傾斜部５３の天井９０とは逆側の端部から、側方カバー５０の外方に向けて突出している。他端部５２は、外郭カバー６０を側方カバー５０に取り付けるための取付部（フランジ部）である。
【００４６】
傾斜部５３は、一端部５１から他端部５２に向けて、天井９０と垂直な方向に対して外方に傾斜している。例えば、平面視において、傾斜部５３は、天井９０から遠ざかるにつれて天井９０と垂直な方向に対して器具本体１０の外方に向かう向きに、傾斜している。これにより、傾斜部５３が透光性を有している場合、発光モジュール３０から傾斜部５３の内面（発光モジュール３０側の面）に入射した光を、天井９０側に出射することができる。つまり、天井９０又は壁を照らすことができるので、照明器具１が照明する空間全体を明るくすることができる。なお、この場合、傾斜部５３は、上記に示すように、透光性を有する材料で形成される。例えば、透光性を有するアクリル樹脂で形成される。
【００４７】
また、傾斜部５３が反射性（光反射性）を有している場合、例えば、発光モジュール３０から傾斜部５３の内面に入射した光を外郭カバー６０に向けて反射することができる。つまり、照明器具１の外郭カバー６０から出射する光の光量を増やすことができるので、照明器具１が照明する床面を明るくすることができる。なお、この場合、例えば、樹脂材料で形成された傾斜部５３の内面に銀又はアルミニウムなどの金属材料からなる金属蒸着膜（金属反射膜）が形成されることで実現される。
【００４８】
なお、傾斜部５３の傾斜方向は、上記に限定されない。例えば、傾斜部５３は、平面視において、一端部５１から他端部５２に向けて器具本体１０の内方に向かう向きに傾斜していてもよい。つまり、平面視において、傾斜部５３は、天井９０に近づくにつれて天井９０と垂直な方向に対して器具本体１０の内方に向かう向きに、傾斜していてもよい。また、図４の（ａ）では、傾斜部５３は、断面視において直線状に傾斜している例について示しているが、これに限定されない。例えば、傾斜部５３は、断面視において湾曲していてもよい。
【００４９】
突起部５４は、傾斜部５３の天井９０側の端部から、天井９０側に延設されている突起であり、ユーザが天井９０を見上げた際にクッション部材８０を見えにくくするための目隠し部の一例である。例えば、突起部５４は、器具本体１０の第２本体部１０ｂの第１主面１４に配置されているクッション部材８０を器具本体１０の外縁（例えば、外周）に沿って囲むように形成されている。つまり、突起部５４は、傾斜部５３の天井９０側の端部から、器具本体１０の第２本体部１０ｂの第１主面１４より天井９０側に亘って形成されている。例えば、突起部５４は、器具本体１０の外縁に沿ってクッション部材８０の少なくとも一部を囲むように形成されている。
【００５０】
これにより、図４の（ｂ）に示すように、床面側から照明器具１を見上げたときに、照明器具１が照明している空間にいるユーザの目線とクッション部材８０との間に突起部５４が位置するので、クッション部材８０が見えてしまうことを抑制することができる。つまり、天井９０に取り付けた後の照明器具１の美観の低下を抑制することができる。なお、器具本体１０が平板状であれば、突起部５４は器具本体１０の第１主面１４より天井９０側に亘って形成される。
【００５１】
図４の（ａ）に示すように、突起部５４は、傾斜部５３の端部から天井９０まで亘って形成されていない。これにより、突起部５４が天井９０と接触することにより天井９０が損傷することを抑制することができる。
【００５２】
図４の（ｂ）に示すように、突起部５４の断面視形状の一例は、天井９０に向かうにつれ先細りになる略テーパ状であるが、突起部５４の形状はこれに限定されない。突起部５４の断面視形状は特に限定されず、例えば矩形状でもよいし、その他の形状であってもよい。
【００５３】
なお、クッション部材８０を見えにくくする観点から、突起部５４は傾斜部５３の端部から天井９０側に極力高く形成される方がよい。ユーザの目と、照明器具１を天井９０に取り付けた状態でのクッション部材８０の天井９０側の端部とを結んだ仮想線を遮るように、突起部５４は傾斜部５３の天井９０側の端部から天井９０側に形成されるとよい。例えば、突起部５４は、器具本体１０の第１主面１４（本実施の形態では、器具本体１０の第２本体部１０ｂの第１主面１４）より１０ｍｍ以上天井９０側に突出して形成されていてもよい。つまり、図４の（ｂ）において、第１主面１４を基準とした突起部５４の先端までの高さＨが、１０ｍｍ以上であってもよい。これにより、広い照明空間を有する部屋（例えば、１２畳の部屋）などに当該照明器具１を取り付けても、クッション部材８０が見えることを抑制することができる。部屋が広くユーザがより天井９０に対して水平な角度から照明器具１を見上げることができる場合でも、高さＨが１０ｍｍ以上ある突起部５４がユーザの目線とクッション部材８０との間に位置するので、クッション部材８０が見えることを抑制することができる。
【００５４】
なお、上記では、突起部５４は、器具本体１０の外縁に沿って形成されている例を示したが、これに限定されない。例えば、クッション部材８０が配置されている周辺にのみ突起部５４が形成されていてもよい。例えば、器具本体１０の中心（開口部１１の中心）と、クッション部材８０の開口部１１側であり、天井９０と直交関係にある２つの辺とをそれぞれ結んだ直線で囲まれる領域内にのみ、突起部５４が形成されていてもよい。これにより、突起部５４を形成するための材料を削減しつつ、クッション部材８０が見えることを抑制することができる。
【００５５】
また、上記では目隠し部が突起部５４である例について説明したが、これに限定されない。例えば、傾斜部５３が器具本体１０の第１主面１４（本実施の形態では、器具本体１０の第２本体部１０ｂの第１主面１４）より天井９０側に亘って形成されていてもよい。この場合、傾斜部５３の天井９０側の一部が、目隠し部となる。
【００５６】
また、図４の（ｂ）に示すように、器具本体１０の外縁部（本実施の形態では、器具本体１０の第２本体部１０ｂの外周縁部）には、当該外縁部から天井９０側と逆方向（床面側の方向）に立設する立設部１６が形成されている。さらに、立設部１６の床面側の端部には環状のフランジ部１７が環状に形成されている。
【００５７】
［１−７．外郭カバー］
次に、外郭カバー６０について、図２〜図４を参照しながら説明する。
【００５８】
外郭カバー６０（下面パネル）は、発光モジュール３０を覆うカバーである。本実施の形態では、外郭カバー６０の平面視形状は、略円形状である。
【００５９】
外郭カバー６０は、透光性を有する材料（例えば、透光性を有するアクリル樹脂）で形成されている。例えば、外郭カバー６０は、光拡散材が内部に分散された乳白色の拡散パネルを用いることができる。これにより、発光モジュール３０から外郭カバー６０に入射した光は、外郭カバー６０を透過することで散乱される。つまり、外郭カバー６０から床面に照射される照明光は、略均一な明るさで床面を照らすことができる。
【００６０】
図４の（ａ）に示すように、外郭カバー６０は、側方カバー５０の他端部５２及び枠体７０により側方カバー５０に固定される。側方カバー５０の他端部５２に枠体７０がネジ７１により取り付けられている。外郭カバー６０の外周部が側方カバー５０の他端部５２と枠体７０とに挟まれることで、外郭カバー６０は側方カバー５０に固定される。
【００６１】
なお、外郭カバー６０の断面視形状は、略矩形状である。言い換えると、外郭カバー６０は、平板状のカバーである。つまり、外郭カバー６０の表面は略平らであり、外郭カバー６０の表面には凹凸が少ない。これにより、例えば照明器具１の演出効果を高めるために、外郭カバー６０に所定の模様を形成する場合、シルク印刷などの一般的な印刷手法で当該模様を外郭カバー６０の主面（例えば、外郭カバー６０の床面側の面）に形成することができる。また、外郭カバー６０の主面にシボ加工などにより、微細な凹凸が形成されていてもよい。
【００６２】
［１−８．枠体］
次に、枠体７０について、図１〜図４の（ａ）を参照しながら説明する。枠体７０は、外郭カバー６０を側方カバー５０に固定するための部材である。
【００６３】
図４の（ａ）に示すように、枠体７０の断面視形状は、略Ｌ字状である。枠体７０の天井９０側の面には、天井９０側に突出したネジ穴（図示しない）が形成されている。側方カバー５０及び外郭カバー６０には、枠体７０のネジ穴に対応した貫通孔（例えば、切欠き状の開口）が形成されている。当該貫通孔に枠体７０のネジ穴を挿入しネジ７１がネジ穴にねじ込まれることにより、外郭カバー６０は側方カバー５０に固定される。これにより、衝撃などで外郭カバー６０が周方向に回転することを抑制できる。
【００６４】
枠体７０に形成されるネジ穴は、枠体７０の天井９０側の面から天井９０側に突出して形成されているので、図２に示すように床面側から照明器具１を見てもネジ７１を視認することはできない。言い換えると、枠体７０を用いることで、照明器具１の美観を損ねることなく、外郭カバー６０を側方カバー５０に固定することができる。
【００６５】
［２．側方カバーの器具本体への取り付け］
続いて、本実施の形態の照明器具１において、側方カバー５０を器具本体１０に取り付ける取付方法について、図５を参照しながら説明する。図５は、本実施の形態に係る側方カバー５０を器具本体１０に取り付ける取付方法を説明するための図である。具体的には、器具本体１０が引っ掛けシーリングボディ１００及び器具取付部材１０１を介して天井９０に取り付けられており、その器具本体１０に側方カバー５０、外郭カバー６０、及び枠体７０が一体となったカバー部１１０を取り付ける取付方法について説明する。
【００６６】
器具本体１０にカバー部１１０を取り付ける際、ユーザは、手１２０でカバー部１１０を顔より高く持ち上げ器具本体１０に取り付けることがある。その場合、ユーザはカバー部１１０を床面側から見上げながらカバー部１１０を器具本体１０に取り付けることとなるが、外郭カバー６０があるためユーザは器具本体１０を確認しにくい。そのため、カバー部１１０は器具本体１０に容易に取り付けることができることが好ましい。
【００６７】
本実施の形態に係るカバー部１１０の側方カバー５０は、上記で説明したように突起部５４を有している。例えば、ユーザは当該突起部５４と器具本体１０のフランジ部１７とを当接させることで、器具本体１０に対するカバー部１１０の位置を合わせることができる。つまり、突起部５４が形成されていることで、器具本体１０に対するカバー部１１０の位置を合わせやすくなる。器具本体１０に対するカバー部１１０の位置を合わせた後、カバー部１１０を所定の位置まで押し上げ、器具本体１０の周方向のうちの一方向にカバー部１１０を回転させる。これにより、器具本体１０の側方カバー取付部１３とカバー部１１０の側方カバー５０の凸部５１ａとが嵌合し、器具本体１０にカバー部１１０を取り付けることができる。つまり、側方カバー５０が突起部５４を有していることで、器具本体１０にカバー部１１０を取り付けやすくなる。
【００６８】
ここで、突起部５４の形状について説明する。突起部５４の断面視形状は、上記でも説明したように略テーパ状である。つまり、突起部５４の内面（クッション部材８０側の面）は、天井９０に近づくにつれ外方に向けて傾斜している傾斜面である。これにより、枠状である突起部５４で形成される開口の径をより大きくできるので、器具本体１０に対するカバー部１１０の位置がズレている場合でも、突起部５４とフランジ部１７とを当接しやすくなる。また、突起部５４の内面とフランジ部１７とを当接させた後、カバー部１１０を天井９０側に押し上げる際、突起部５４の内面が傾斜していることで、傾斜部５３の内面を滑らせながらカバー部１１０の位置を合わせることができる。これらにより、カバー部１１０を器具本体１０に、より取り付けやすくなる。なお、平面視において、突起部５４は、天井９０に近づくにつれ側方カバー５０の外方に向けて傾斜していてもよい。
【００６９】
［３．カバー部のガタツキの防止］
続いて、カバー部１１０のガタツキ防止について、図６Ａ〜図７を用いて説明する。
【００７０】
まず、器具本体１０に形成されている側方カバー取付部１３と、側方カバー５０の凸部５１ａとの嵌合について、図６Ａ及び図６Ｂを用いて説明する。図６Ａは、本実施の形態に係る側方カバー取付部１３の外観を示す斜視図であり、図３の破線領域Ｒの拡大図である。なお、便宜上、側方カバー取付部１３のみを示しており、また照明器具１の通常の使用時の姿勢（図３とは、上下逆の姿勢）における側方カバー取付部１３を示している。図６Ｂは、本実施の形態に係る側方カバー取付部１３と側方カバー５０の凸部５１ａとが嵌合する様子を示す図である。具体的には、側方カバー取付部１３が取り付けられている器具本体１０が引っ掛けシーリングボディ１００及び器具取付部材１０１を介して天井９０に取り付けられており、器具本体１０に対してカバー部１１０を一方向（例えば、図中の矢印の方向）に回転させることで取り付けている様子を示す図である。また、図６Ｂでは、器具本体１０の側方カバー取付部１３及び側方カバー５０の一端部５１及び凸部５１ａのみを図示している。
【００７１】
図６Ａに示すように、側方カバー取付部１３は、支持部１３ａ及び嵌合部１３ｂを有する。また、支持部１３ａは、切欠き部１３ｃを有し、嵌合部１３ｂは、側方カバー取付部１３の一方の端部を塞ぐ蓋部１３ｄを有する。支持部１３ａ及び嵌合部１３ｂの断面視形状は、略コの字状である。つまり、支持部１３ａ及び嵌合部１３ｂは、内側に空間を有している。当該空間は、嵌合部１３ｂより支持部１３ａの方が広く、具体的には天井９０と直交する方向（Ｚ軸方向）に広い。また、側方カバー取付部１３は開口を有しており、当該開口が平面視における器具本体１０の外方を向くように器具本体１０に取り付けられている。
【００７２】
図６Ｂに示すように、カバー部１１０を一方向に回転させることで、一端部５１に形成されている凸部５１ａは、支持部１３ａに形成されている切欠き部１３ｃ、支持部１３ａの内側の空間を通過して嵌合部１３ｂと嵌合する。そして、凸部５１ａが嵌合部１３ｂの蓋部１３ｄと当接することで、カバー部１１０の回転が規制される。これにより、カバー部１１０が器具本体１０に取り付けられる。
【００７３】
なお、凸部５１ａと嵌合部１３ｂとの嵌合が不十分となる場合がある。例えば、カバー部１１０の外径が大きくなると器具本体１０に取り付ける際に、凸部５１ａと嵌合部１３ｂとが嵌合しにくくなり、不完全嵌合状態となる場合がある。その場合、照明器具１に衝撃などが加わることにより、凸部５１ａと嵌合部１３ｂとの嵌合が外れてしまうことがある。
【００７４】
凸部５１ａと嵌合部１３ｂとの嵌合が外れると、凸部５１ａは支持部１３ａによって支持される。具体的には、支持部１３ａの底面（床面側に形成されている面）によって支持される。つまり、支持部１３ａは、凸部５１ａと嵌合部１３ｂとの嵌合が外れたときにカバー部１１０が落下してしまうことを防ぐ安全保持部である。なお、支持部１３ａは、嵌合部１３ｂに対して天井９０側と逆方向の位置で凸部５１ａを支持する。つまり、支持部１３ａは嵌合部１３ｂに対して、床面側の位置で凸部５１ａを支持する。
【００７５】
しかし、凸部５１ａが支持部１３ａの底面で支持されている状態とは、凸部５１ａと支持部１３ａの底面とが当接している状態であり、凸部５１ａと支持部１３ａとが嵌合していない状態である。つまり、カバー部１１０は、器具本体１０に対して固定されていない。そのため、衝撃などによりカバー部１１０がガタツクことがある。また、過剰な衝撃が加わると、カバー部１１０は支持部１３ａから外れ落下してしまうことがある。
【００７６】
本実施の形態に係る側方カバー５０には突起部５４が形成されており、当該突起部５４により凸部５１ａが支持部１３ａの底面で支持されている状態でのカバー部１１０のガタツキを抑制することが可能である。凸部５１ａが支持部１３ａの底面で支持されている状態でのカバー部１１０のガタツキの抑制について、図７を用いて説明する。図７は、本実施の形態に係る照明器具１のカバー部１１０のガタツキの抑制を説明するための図である。具体的には、図７の（ａ）は、図６ＢのＶＩＩａ−ＶＩＩａ線における断面図であり、図７の（ｂ）は図６ＢのＶＩＩｂ−ＶＩＩｂ線における断面図である。なお、図７の（ａ）では、凸部５１ａと嵌合部１３ｂとが嵌合している状態での断面図であり、図７の（ｂ）は凸部５１ａが支持部１３ａの底面に支持されている状態での断面図である。なお、図７の（ａ）及び図７の（ｂ）では、説明のため、器具本体１０及び側方カバー５０の一部を図示している。
【００７７】
図７の（ａ）に示すように、側方カバー取付部１３の嵌合部１３ｂと、カバー部１１０（側方カバー５０）の凸部５１ａとが嵌合することにより、器具本体１０にカバー部１１０が取り付けられている。上記でも説明したように、この状態では、突起部５４は、器具本体１０の第１主面１４より天井９０側に突出している。これにより、ユーザにクッション部材８０が見えることを抑制することができる。
【００７８】
図７の（ｂ）に示すように、凸部５１ａが側方カバー取付部１３の支持部１３ａの底面に支持されている状態では、支持部１３ａと凸部５１ａとは嵌合していないので、衝撃などによりカバー部１１０がガタツクことがある。側方カバー５０は突起部５４を有しており、当該突起部５４は凸部５１ａが支持部１３ａで支持されている状態で器具本体１０の外縁部を囲んでいる。例えば、突起部５４は、平面視において、器具本体１０を器具本体１０の外方から器具本体１０の外縁に沿って囲んでいる。
【００７９】
本実施の形態では、器具本体１０は、立設部１６及びフランジ部１７を有している。例えば、平面視において、突起部５４は、立設部１６を器具本体１０の外方から囲んでいる。なお、突起部５４は、断面視において、立設部１６の少なくとも一部を囲んでいればよい。例えば、断面視において、突起部５４は、立設部１６の床面側の先端に形成されているフランジ部１７を囲んでいてもよい。これにより、図７の（ｂ）に示すように、フランジ部１７と突起部５４との距離Ｄ以上のガタツキが発生するような衝撃などがカバー部１１０に加わっても、フランジ部１７と突起部５４とが当接することで、距離Ｄ以上のガタツキは抑制される。
【００８０】
［４．効果］
次に、本実施の形態に係る照明器具１の効果について説明する。
【００８１】
本実施の形態に係る照明器具１は、造営材の設置面に取り付けられる照明器具１であって、設置面（例えば、天井９０）側の第１主面１４及び第１主面１４と背向する第２主面１５を有する器具本体１０と器具本体１０の第２主面１５に配置された光源（例えば、発光モジュール３０）と、光源を囲む枠状の側方カバー５０と、器具本体１０の第１主面１４に配置されたクッション部材８０と、を備える。そして、側方カバー５０は、さらに、クッション部材８０の少なくとも一部を囲んでいる。
【００８２】
これにより、側方カバー５０は、クッション部材８０の少なくとも一部を囲んでいる。具体的には、側方カバー５０は、平面視において、器具本体１０の外方から器具本体１０の外縁部に沿ってクッション部材８０の少なくとも一部を囲んでいる。側方カバー５０がクッション部材８０の少なくとも一部を囲むことで、当該照明器具１を設置面に取り付けた後、ユーザの目線とクッション部材８０との間に側方カバー５０が位置するので、設置面と照明器具１の器具本体１０との隙間からクッション部材８０が見えることを抑制することができる。よって、本実施の形態に係る照明器具１であれば、設置面に取り付けられた後の照明器具１の美観の低下を抑制することができる。
【００８３】
また、側方カバー５０は、設置面に対して傾斜している傾斜部５３と、傾斜部５３の設置面側の端部から設置面側に突出した突起部５４と、を有し、突起部５４は、クッション部材８０の少なくとも一部を囲んでいる。
【００８４】
これにより、突起部５４がクッション部材８０の少なくとも一部を囲んでいることで、クッション部材８０が見えることを抑制することができる。さらに、当該突起部５４が形成されていることで、天井９０に取り付けられた器具本体１０にカバー部１１０を取り付ける際、突起部５４と器具本体１０の外縁部（例えば、フランジ部１７）とを当接させることができるので器具本体１０に対するカバー部１１０の位置を合わせやすくなる。
【００８５】
また、突起部５４は、器具本体１０の第１主面１４より１０ｍｍ以上設置面側に突出している。
【００８６】
これにより、広い照明空間を有する部屋などに照明器具１を取り付けても、クッション部材８０が見えることを抑制できる。例えば１２畳の部屋の天井に当該照明器具１を取り付けても、クッション部材８０が見えることを抑制できる。
【００８７】
また、突起部５４の内面は、設置面に近づくにつれ外方に向けて傾斜している。
【００８８】
これにより、天井９０に取り付けられた器具本体１０にカバー部１１０を取り付ける際、器具本体１０に対するカバー部１１０の位置をより合わせやすくなる。
【００８９】
また、器具本体１０は、第２主面１５に側方カバー５０を脱着自在に取り付けるための側方カバー取付部１３を有し、側方カバー５０は、内面に凸部５１ａを有する。側方カバー取付部１３は、凸部５１ａと嵌合する嵌合部１３ｂ、及び、嵌合部１３ｂに対して設置面側と逆方向の位置で側方カバー５０を支持する支持部１３ａを有する。そして、突起部５４は、凸部５１ａが支持部１３ａで支持されている状態で、器具本体１０を囲んでいる。
【００９０】
これにより、凸部５１ａと嵌合部１３ｂとの嵌合が外れ、凸部５１ａが支持部１３ａで支持されている状態において、側方カバー５０（例えば、側方カバー５０を有するカバー部１１０）のガタツキを抑制することができる。例えば、突起部５４と器具本体１０の外縁部とが当接することで、器具本体１０に対して側方カバー５０がガタツクことを規制することができる。例えば、凸部５１ａが支持部１３ａで支持されている状態で、過剰な衝撃が加わることにより、側方カバー５０が落下してしまうことを抑制することができる。
【００９１】
また、器具本体１０は、外縁部に設置面側と逆方向に立設する立設部１６を有し、突起部５４は、凸部５１ａが支持部１３ａで支持されている状態で、立設部１６の少なくとも一部を囲んでいる。
【００９２】
これにより、器具本体１０が立設部１６を有している場合、突起部５４が当該立設部１６の少なくとも一部を囲んでいることで、器具本体１０に対する側方カバー５０のガタツキを抑制することができる。
【００９３】
（その他の実施の形態）
以上、本発明について実施の形態に基づいて説明したが、本発明は、上記実施の形態に限定されるものではない。
【００９４】
例えば、上記実施の形態では、照明器具１が取り付けられる造営材の設置面が天井９０である場合について説明したが、設置面はこれに限定されない。例えば、造営材の設置面は、建物の壁等であってもよい。
【００９５】
これにより、造営材の設置面が天井９０である場合と同様の効果を奏する。
【００９６】
また、上記実施の形態では、側方カバー５０は枠状である例について説明したが、これに限定されない。例えば、側方カバー５０は、ドーム状であってもよい。その場合、外郭カバー６０は設けられなくてもよい。
【００９７】
また、上記実施の形態では、照明器具１をシーリングライトとしたが、これに限定されない。照明器具の設置面側にクッション部材を有する照明器具に適用可能である。
【００９８】
また、上記実施の形態では、発光素子をＳＭＤ構造としたが、これに限定されない。例えば、ＬＥＤチップを基板に直接実装したＣＯＢ（Ｃｈｉｐ  Ｏｎ  Ｂｏａｒｄ）構造であってもよい。この場合、封止部材によって、基板上に実装された複数のＬＥＤチップを一括に封止してもよく、あるいは、個別に封止してもよい。また、封止部材には、上述した黄色蛍光体等の波長変換材が含有されていてもよい。
【００９９】
また、上記実施の形態では、複数の基板３１をリング状に並べることにより発光モジュール３０を構成したが、これに限定されない。例えば、１つのリング状の基板で発光モジュール３０を構成してもよい。
【０１００】
また、上記実施の形態では、発光素子３２が基板３１に複数配置されている例について説明したが、これに限定されない。例えば、基板３１に配置される発光素子３２は１つであってもよい。
【０１０１】
また、上記実施の形態では、側方カバー５０と外郭カバー６０とが別体である例について説明したが、これに限定されない。例えば、側方カバー５０と外郭カバー６０とは一体形成されてもよい。
【０１０２】
その他、上記実施の形態に対して当業者が思いつく各種変形を施して得られる形態や、本発明の主旨を逸脱しない範囲で各実施の形態における構成要素および機能を任意に組み合わせることで実現される形態も本発明に含まれる。
【符号の説明】
【０１０３】
１    照明器具
１０    器具本体
１３    側方カバー取付部
１３ａ    支持部
１３ｂ    嵌合部
１４    第１主面
１５    第２主面
１６    立設部
３０    発光モジュール（光源）
５０    側方カバー
５１ａ    凸部
５４    突起部
８０    クッション部材
９０    天井（設置面）
【図１】
2018125102.tif 000003
【図２】
2018125102.tif 000004
【図３】
2018125102.tif 000005
【図４】
2018125102.tif 000006
【図５】
2018125102.tif 000007
【図６Ａ】
2018125102.tif 000008
【図６Ｂ】
2018125102.tif 000009
【図７】
2018125102.tif 000010